(57)【要約】      （修正有）【課題】ノート型パソコンに電源を供給すると同時にノート型パソコンの予備電池に対して充電を行うことができる電源変換装置を提供する。【解決手段】ノート型パソコン用の電源変換装置１は、ケース１０、及び、ケース内に設置された電源変換回路と充電回路を含む。電源変換回路は、交流電力をノート型パソコンに適合する直流電力に変換し、電源出力コードを通じてノート型パソコンに出力することができる。充電回路は、電源変換回路に接続することで、ノート型パソコンの予備電池に対して充電を行うことができる。その他、電源変換装置は、ケース上に設置する取り替え可能な充電プラグ１３を更に提供し、これにより、異なる型式のノート型パソコンの予備電池を充電することができる。【選択図】図１
0003155877.tif 000002
【実用新案登録請求の範囲】
【請求項１】
ノート型パソコン用の電源変換装置であって、
ケースと、
前記ケースに一端側が接続され、他端に交流電源プラグを有する交流電源コードと、
前記ケースに一端側が接続され、他端に電源出力プラグを有し、ノート型パソコンの電源入力ポートに差し込んで接続することができる電源出力コードと、
前記ケース内に設置され、前記交流電源コードの一端と前記電源出力コードの一端とに接続されることで、前記交流電源コードから入力された交流電力を直流電力に変換して、前記ノート型パソコンに出力することができる電源変換回路と、
前記ケース内に設置され、前記電源変換回路に接続され、前記ノート型パソコンの予備電池に対して充電を行うことができる充電回路と、
前記ケース上に設置され、前記充電回路に接続され、前記予備電池を差し込んで接続することができる充電プラグとを含むことを特徴とするノート型パソコン用の電源変換装置。
【請求項２】
前記ケース上に充電電気量表示器を設置し、前記充電電気量表示器は、前記充電回路に接続することで前記予備電池の現在の充電状況を表示することができることを特徴とする請求項１に記載の電源変換装置。
【請求項３】
前記充電プラグは、回転可能な状態で前記ケースに取り付けられることを特徴とする請求項１または請求項２に記載の電源変換装置。
【請求項４】
前記ケースに開閉可能に取り付けられたフェイスプレートを有し、前記フェイスプレートを閉じることにより前記充電プラグを覆うことを特徴とする請求項１または請求項２に記載の電源変換装置。
【請求項５】
前記充電プラグは、着脱可能な状態で前記ケースに取り付けられることを特徴とする請求項１乃至４のいずれか１項に記載の電源変換装置。
【考案の詳細な説明】
【技術分野】
【０００１】
本考案は、ノート型パソコン用の電源変換装置に関し、さらに詳しくは、取り替え可能な充電プラグを設け、ノート型パソコンの予備電池に対する充電、およびノート型パソコンへの電源供給を同時に行うことができる電源変換装置に関する。
【背景技術】
【０００２】
従来、ノート型パソコンに用いられる蓄電池の充電作業は、ノート型パソコンの本体に接続して行う必要がある。また、突発的な事態に備えてノート型パソコン用の畜電池を２つ（メイン電池と予備電池）用意する使用者もいる。
このような使用者にとって、２つの畜電池を充電するには、まず、ノート型パソコン内にメイン電池を取り付けて充電した後に、ノート型パソコンからメイン電池を取り出し、予備電池を取り付けて充電しなければならない。そのため、毎回ノート型パソコンからメイン電池と予備電池の取り替えをしなければならなく、使用者にとって非常に手間がかかる作業となり、不便である。
【０００３】
特許文献１には、従来の車内・室内兼用ノート型パソコンの電源供給充電器が開示されている。この装置は、交流電源や直流電源等の２種類の電源を使用できる入力、および２つの出力端子を備えており、ノート型パソコンに対する電力供給、およびノート型パソコンに接続した充電池に対する充電を同時に行うことができる。そのため、入力電源をパソコンに接続している際は、直接パソコンへ電力供給が行えるため、充電池を使用する時間をできるだけ減らすことができる。しかし、特許文献１には、使用者がノート型パソコンを操作する時において同時にメイン電池に対して充電することはできるが、予備電池に対して充電を行うことはできない。
【０００４】
特許文献２と特許文献３には、携帯電話の旅行用充電器が開示されている。この装置は、単に変圧・整流機能をもつ旅行用の充電器として使用できる。その本体上には電池収容溝が設けられており、その電池収容溝に充電池を収容することで、充電池の充電器としても使用できる。さらに、この旅行用充電器は、電池充電端子と電池位置決め体が設けられており、携帯電話の予備電池の充電も行うことができる。すなわち、特許文献２、３に記載の旅行用充電器は、携帯電話内に接続されたメイン電池、電池収納溝内に収納した二次電池、および携帯電話の外の予備電池の３つの充電池に対して同時に充電を行うことができる。
【０００５】
同様に、特許文献４には、多機能ポータブル充電器が開示されている。この装置は、充放電回路の設計を用いて、異なる電源切替コードを組み合わせることで、異なる種類の電子装置に対して充電を行うことができる。この充電器は、その本体以外の変圧器・電源コードを組合せることで、交流電力を直流電力に変換して充電器の電池収納溝内の充電池に対して充電を行うことができる。更に、充電が必要な電子装置に対しても間接的に充電を行うことができる。また、外部の電力が足りない場合は、充電池の電力を用いて、電池装置に対しても充電を行うことができる。しかし、特許文献４には、電源変換装置を有していないため、交流電力を変換して充電電池や電子装置に対して充電を行うためには、変圧器・電源コードを組み合わせなければならない。
【０００６】
特許文献５には充電装置が開示されており、その充電装置はケースを含み、このケースには、電荷貯蔵ユニットおよび第１、第２コネクタを有している。使用者は、第１または第２コネクタをポータブル電子装置の電池受け入れポートまたは電源入力ポートに選択的に差し込んで接続することによって、ポータブル電子装置に対して電圧を提供することができる。この充電装置は、充電接続ポートを用いて交流電圧を外部接続し、変圧回路により交流電圧を適切な直流電圧に変換して、電荷貯蔵ユニットにエネルギーを貯蔵する。この電荷貯蔵ユニットに貯蔵されたエネルギーを用いて、ポータブル電子装置に電源供給を行う。すなわち、特許文献５に記載の充電装置は、電荷貯蔵ユニットによりポータブル電子装置に間接的に電力供給を行うため、電気エネルギーの変換効率が悪くなってしまう。
【０００７】
【特許文献１】台湾実用新案第２１０１５８号明細書
【特許文献２】台湾実用新案第Ｍ２９７０４７号明細書
【特許文献３】台湾実用新案第Ｉ３０２７７６号明細書
【特許文献４】台湾実用新案第Ｍ２４４６４０号明細書
【特許文献５】台湾実用新案第Ｍ３１５４４６号明細書
【考案の概要】
【考案が解決しようとする課題】
【０００８】
本考案の主な目的は、ケース、ケース内に設置される電源変換回路、充電回路、交流電源コード、電源出力コード、及び充電プラグを含むノート型パソコン用の電源変換装置において、上記課題を解決することにある。本考案は、交流電源コードおよび電源出力コードをケースに接続しており、このケース側面に充電プラグを設けた構成としている。このケース内に電源変換回路を設けて、交流電源コードから入力された交流電力を直流電力に変換し、電源出力コードを通じてノート型パソコンに出力することができる。さらに、このケース内に充電回路を設けて、電源変換回路、充電回路および充電プラグを接続することで、交流電力を直流電力に変換した上でノート型パソコンの予備電池に対して充電を行うことができる。
【課題を解決するための手段】
【０００９】
上記に基づくと、本考案の電源変換装置は、交流電力を直流電力に変換してノート型パソコンに出力することができる。また、電源変換装置の充電プラグを設けて、予備電池を差し込んで充電できる場所を確保することで、ノート型パソコンに電源を供給すると同時にノート型パソコンの予備電池に対して充電を行うこともできる。これにより、使用者は、パソコンの使用中においても予備電池の充電を非常に簡単にできて便利である。
【００１０】
また、本考案の特徴は、充電プラグを取り替え可能なプラグとする点である。充電プラグは、ケース上から取り外して別のタイプに差し取り替えることで、別のメーカーや型番のノート型パソコン用の充電プラグに適合させて充電を行うことができる。この構成により、異なるメーカーや型番のノート型パソコン用の電源変換装置を製作することができ、製作が手軽で簡単になる。すなわち、適切な充電プラグに変更するだけで、異なるメーカーや型番のノート型パソコンに対しても同じ電源変換装置を利用できるので、経済的なメリットを非常に大きくできる。
【図面の簡単な説明】
【００１１】
【図１】ノート型パソコンに使用された本考案の電源変換装置の概略図である。
【図２】電源変換装置のブロック図である。
【図３】取り替え可能な充電プラグを備えた電源変換装置の実施例である。
【図４】取り替え可能な充電プラグ及び充電プラグを覆うフェイスプレートを備え、電源変換装置の第１変形例である。
【図５】図４の充電プラグがフェイスプレートに覆われた状態を示した図である。
【図６】取り替え可能で回転構造とした充電プラグを備え、電源変換装置の第２変形例である。
【図７】図６の充電プラグが回転して内側に向けられ隠された状態を示した図である。
【考案を実施するための形態】
【実施例】
【００１２】
図１、２を参照しながら、本考案の実施例である電源変換装置１の概要について説明する。ここで、図１は、ノート型パソコン２に電力供給することができる本考案の電源変換装置１の概略図である。図２は、本考案の実施例を示すブロック図である。
なお、実施例および変形例１．２では、蓄電池（二次電池）を用いているが、その代りに、電気二重層キャパシタ（コンデンサ）を用いても良い。
【００１３】
図１に示すように、好ましい実施例に基づく電源変換装置１の構造は、ケース１０、交流電源コード１５、電源出力コード１７、充電プラグ１３、および充電電気量表示器１２を含む。さらに、図２に示すように、ケース１０には、電源変換回路１４、充電回路１１、充電プラグ１３および本体回路２０を含む。
図１、２に示すように、交流電源コード１５の一端に交流電源プラグ１５０を形成し、他端はケース１０に固定され、電源変換回路１４に接続されている。電源変換回路１４は、充電回路１１に接続されるとともに本体回路２０に接続される。
電源変換回路１４および本体回路２０は、電源出力コード１７を介して接続される。この電源出力コード１７は、一端がケース１０に固定され、他端にはパソコン２の電源入力ポート２１に差し込める電源出力プラグ１７０を設けた構成となっている。このような構成により、交流電源３に交流プラグ１５０を差し込み、交流電源コード１5を通じて、ケース１０内の電源変換回路１４へ接続される。入力された交流電力を直流電力に変換し、電源出力コード１７を通じてノート型パソコン２の本体回路２０に出力することができる。
【００１４】
充電回路１１には、充電電気量表示器１２および充電プラグ１３が接続されており、この充電プラグ１３に予備電池４を接続する構成となっている。充電電気量表示器１２、および充電プラグ１３は、それぞれケース１０の側面に形成されている。このような構成により、ケース１０内の電源変換回路１４は、入力された交流電力を直流電力に変換して、充電回路１１は、電源変換回路１４からの直流電力を充電プラグ１３に送る。そうして、充電プラグ１３に接続した予備電池４に対して充電を行うことができる。
このように充電プラグ１３は、電源出力コード１７と別に設けることで、予備電池４を充電すると同時に、ノート型パソコン２の本体回路２０にも変換した電力を出力して、ノート型パソコン２も使用することができる。こうして、予備電池を充電する際に、ノート型パソコン２のシステムを通じて行う必要がなくなる。すなわち、本考案の電源変換装置１によって、使用者は、ノート型パソコン２を操作すると同時に予備電池４の充電を行うことができ、ノート型パソコン２内に内蔵されているメイン電池５を取り外す等といった手間のかかる作業を省略することもできる。
また、充電回路１１を充電電気量表示器１２に接続することで、充電電気量表示器１２に予備電池４の現在の充電状況を適時表示し、使用者に識別させることができる。
なお、上記交流電源コード１５および電源出力コード１７は、ケース１０と固定されていても良いし、着脱可能に接続されていても良い。着脱構造の場合は、交流電源コード１５および電源出力コード１７をケース１０から取り外してコンパクトに収納できるため、携帯または保存する際に便利である。
【００１５】
さらに、充電プラグ１３をケース１０に固定する構造に限られるものではなく、電源変換装置１に対して充電プラグ１３を着脱可能としても良い。この構造としては、図３に示すように、充電プラグ１３をケース１０から取り外して別のタイプの充電プラグ１３ａ、１３ｂ或いは１３ｃに交換することができる。これにより、異なるメーカーや型番のノート型パソコンに適合させることができる。
【００１６】
（変形例１）
本考案の実施例では、充電プラグ１３を外部に露出させた状態としたが、本考案はこれに限られるものではなく、ケース１０に設けたフェイスプレート１０１により充電プラグ１３を覆うようにしても良い。具体的には、図４、５に示すように、フェイスプレート１０１を開閉可能な構造でケース１０の充電プラグ１３近傍に取り付ける。そして、図５のように、フェイスプレート１０１を閉じると充電プラグ１３を覆うことができる。このようにして、適時充電プラグ１３をフェイスプレート１０１で覆うことにより、充電プラグ１３のピンを保護することができる。
【００１７】
（変形例２）
本考案の実施例では、充電プラグ１３を外部に露出させた状態としたが、本考案はこれに限られるものでなく、ケース１０に回転軸１０２を設け、回転軸１０２に対して充電プラグ１３を固定させておくことができる。この構造では、図６に示すように、予備電池の充電を行うときは、回転軸１０２に装着された充電プラグ１３をケース１０の外側に向ければ良い。また、図６に示す状態から回転軸１０２を回転させて、図７に示すように充電プラグ１３がケース１０の外側と向き合うようにすれば、充電プラグ１３のピンを保護することができる。
さらに、回転軸１０２に対して充電プラグ１３を固定する構造に限られなく、着脱させる構造としても良い。
【００１８】
上記説明から、本考案の電源変換装置１は、ノート型パソコン２への電力供給とノート型パソコン２の予備電池４に対する充電を、両方同時に行うことができ、使用する上で多くの手間を省けて便利である。さらに、取り替え可能な充電プラグを設けたことにより、電源変換装置１は、市場の多様化したノート型パソコンの多様化した電源形状に容易に対応することもできる。
【００１９】
何れにせよ、上記の例による説明で、誰でも本考案に対する充分な理解を得ることができ、本考案に産業上の利用可能性が確かにあることも理解できる。また、本考案と同様の技術が見当たらないことから、本考案には新規性があるといえる。さらに、本考案と類似した技術が見当たらないことから、本考案には進歩性があるといえる。従って、本考案は実用新案の要件に合致することにより、法に基づき出願するものである。
【符号の説明】
【００２０】
１                        電源変換装置
１０                      ケース
１０１                    フェイスプレート
１０２                    回転軸
１１                      充電回路
１２                      充電電気量表示器
１３                      充電プラグ
１３ａ、１３ｂ、１３ｃ    充電プラグ
１４                      電源変換回路
１５                      交流電源コード
１５０                    交流電源プラグ
１７０                    電源出力プラグ
２                        ノート型パソコン
２０                      本体回路
２１                      電源入力ポート
３                        交流電源
４                        予備電池
【図１】
0003155877.tif 000003
【図２】
0003155877.tif 000004
【図３】
0003155877.tif 000005
【図４】
0003155877.tif 000006
【図５】
0003155877.tif 000007
【図６】
0003155877.tif 000008
【図７】
0003155877.tif 000009